(57)【要約】【課題】標準足場板と短尺足場板を混在状態で搭載可能とした足場構築体及び足場構築体におけるアジャスト横架材を提供する。【解決手段】Ｘ方向に離間して立設された１対の支柱を１本の支持梁(2)を備えた標準横架材(3)で連結することにより構成した支柱ユニット(4)をＹ方向に等間隔の間隔(L1)をあけて列設し、隣り合う支柱ユニット(4)(4)の標準横架材(3)(3)の支持梁(2)に標準足場板(5)の係止金具(6)(6)を搭載した足場構築体において、選択された所定の列設位置(P)で、前記支柱ユニット(4)に代えて、１対の支柱(1)(1)をアジャスト横架材(7)で連結したアジャスト支柱ユニット(8)を構成し、該アジャスト横架材(7)に並設された２本の偏位支持梁(9)(10)と、これに隣り合う支柱ユニット(4)における標準横架材(3)の支持梁(2)により、短尺足場板(5a)の係止金具(6a)(6a)を搭載可能とするように構成している。【選択図】図１
2018096099.tif 000002
【特許請求の範囲】
【請求項１】
平面上で相互に直交するＸ方向とＹ方向に関して、Ｘ方向に離間して立設された１対の支柱を１本の支持梁(2)を備えた標準横架材(3)で連結することにより支柱ユニット(4)を構成すると共に、前記支柱ユニットをＹ方向に等間隔の間隔(L1)をあけて列設することにより隣り合う支柱ユニットの支持梁(2)(2)の相互間に所定ピッチ間隔(L2)を形成し、前記隣り合う支持梁に標準足場板(5)を搭載して成る足場構築体であって、前記標準足場板は、前記支持梁に搭載される係止金具(6)(6)を前記所定ピッチ間隔(L2)に適合する離間距離(L3)をあけて両端に設けて成る構成において、
前記標準足場板(5)における係止金具の離間距離(L3)よりも短い離間距離(La)をあけて係止金具(6a)(6a)を両端部に設けた短尺足場板(5a)と、該短尺足場板を搭載可能とするアジャスト横架材(7)を備え、
前記支柱ユニット(4)のＹ方向に等間隔(L1)で配置された列設位置に関して、所定の列設位置(P)における１対の支柱を前記アジャスト横架材(7)で連結することによりアジャスト支柱ユニット(8)を構成し、
前記アジャスト横架材(7)は、Ｙ方向に２本の偏位支持梁(9)(10)を並設し、それぞれの偏位支持梁とＹ方向に隣り合う標準横架材(3)の支持梁(2)との間に、前記短尺足場板における係止金具の離間距離(La)と一致するアジャスト間隔(LA)を形成するように構成しており、
前記アジャスト支柱ユニット(8)における２本の偏位支持梁(9)(10)とそれぞれ隣り合う支柱ユニット(4)における標準横架材(3)の支持梁(2)に対して前記短尺足場板(5a)の係止金具(6a)(6a)を搭載するように構成して成ることを特徴とする足場構築体。
【請求項２】
請求項１に記載の足場構築体におけるアジャスト横架材。
【請求項３】
前記アジャスト横架材(7)は、前記２本の偏位支持梁(9)(10)の間に離間空間(S)を形成し、該離間空間に短尺足場板(5a)の係止金具(6a)を挿入することにより、該係止金具を偏位支持梁に搭載するように構成して成ることを特徴とする請求項２に記載の足場構築体におけるアジャスト横架材。
【請求項４】
前記支柱(1)は、前記標準横架材(3)を連結固定するフランジ(1a)を備えて成る構成において、
前記アジャスト横架材(7)は、２本の偏位支持梁(9)(10)の両端部に固設された取付金具(11)を前記フランジ(1a)に連結固定するように構成すると共に、該取付金具(11)に前記フランジに載置される位置決め手段(16)を備えており、
前記位置決め手段(16)をフランジ(1a)に載置した状態で、前記偏位支持梁(9)(10)を前記標準横架材(3)の支持梁(2)と同一高さに固定するように構成して成ることを特徴とする請求項２又は３に記載の足場構築体におけるアジャスト横架材。
【発明の詳細な説明】
【技術分野】
【０００１】
本発明は、標準足場板と短尺足場板を混在状態で搭載可能とした足場構築体及び足場構築体におけるアジャスト横架材に関する。
【背景技術】
【０００２】
従来、足場構築体は、図１に示すように、平面上で相互に直交するＸ方向とＹ方向に関して、Ｘ方向に離間して立設された１対の支柱１、１を１本の支持梁２を備えた横架材（以下「標準横架材３」という。）で連結することにより支柱ユニット４を構成し、このような支柱ユニット４、４をＹ方向に等間隔の間隔Ｌ１をあけて列設することにより、隣り合う支柱ユニット４、４の支持梁２、２の相互間に所定ピッチ間隔Ｌ２を形成し、前記隣り合う支持梁２、２に対して足場板（以下「標準足場板５」という。」を搭載している。この際、前記標準足場板５の両端には、前記支持梁２、２のピッチ間隔Ｌ２に適合する離間距離Ｌ３をあけてフック金具から成る係止金具６、６が設けられており、該係止金具６、６を支持梁２、２に搭載している。
【先行技術文献】
【特許文献】
【０００３】
【特許文献１】特開２０１３−９１９９４号公報
【特許文献２】特開２００３−２１３９２８号公報
【発明の概要】
【発明が解決しようとする課題】
【０００４】
ところで、足場構築体の支柱の間隔は、歴史的背景から、インチサイズとメートルサイズの２種類があり、１８００サイズの場合、インチでは１８２９ｍｍであるが、メートルでは１８００ｍｍとされる違いがあり、現状では、インチサイズが主流を成しているが、メートルサイズの場合もある。
【０００５】
従って、図１に示す足場構築体がインチサイズに基づく場合、隣り合う支柱ユニット４、４における支柱１、１の中心間の間隔Ｌ１と、支持梁２、２の中心間のピッチ間隔Ｌ２と、標準足場板５の係止金具６、６の中心間の離間距離Ｌ３は、全て１８２９ｍｍ（Ｌ１＝Ｌ２＝Ｌ３＝１８２９ｍｍ）として構築されている。
【０００６】
このため、図２に示すように、インチサイズに基づいて構築される足場構築体は、インチサイズの標準足場板５だけが搭載可能であり、メートルサイズの足場板（以下「短尺足場板５ａ」という。）を搭載することは不可能である。メートルサイズの短尺足場板５ａは、両端に設けられた係止金具６ａ、６ａの中心間の離間距離Ｌａが１８００ｍｍとされており、Ｌａ＜Ｌ２とされているからである。
【０００７】
しかしながら、足場の構築現場によっては、例えば、標準足場板５が不足する場合等、標準足場板５と短尺足場板５ａの２種類を混在させて使用するニーズがあり、これを可能とした足場構築体が望まれている。
【０００８】
そこで、本発明の課題は、上記ニーズに応えることができる足場構築体及び足場構築体におけるアジャスト横架材を提供する点にある。
【課題を解決するための手段】
【０００９】
そこで、本発明が手段として構成する足場構築体は、平面上で相互に直交するＸ方向とＹ方向に関して、Ｘ方向に離間して立設された１対の支柱を１本の支持梁を備えた標準横架材で連結することにより支柱ユニットを構成すると共に、前記支柱ユニットをＹ方向に等間隔の間隔をあけて列設することにより隣り合う支柱ユニットの支持梁の相互間に所定ピッチ間隔を形成し、前記隣り合う支持梁に標準足場板を搭載して成る足場構築体であって、前記標準足場板は、前記支持梁に搭載される係止金具を前記所定ピッチ間隔に適合する離間距離をあけて両端に設けて成る構成において、前記標準足場板における係止金具の離間距離よりも短い離間距離をあけて係止金具を両端部に設けた短尺足場板と、該短尺足場板を搭載可能とするアジャスト横架材を備え、前記支柱ユニットのＹ方向に等間隔で配置された列設位置に関して、所定の列設位置における１対の支柱を前記アジャスト横架材で連結することによりアジャスト支柱ユニットを構成し、前記アジャスト横架材は、Ｙ方向に２本の偏位支持梁を並設し、それぞれの偏位支持梁とＹ方向に隣り合う標準横架材の支持梁との間に、前記短尺足場板における係止金具の離間距離と一致するアジャスト間隔を形成するように構成しており、前記アジャスト支柱ユニットにおける２本の偏位支持梁とそれぞれ隣り合う支柱ユニットにおける標準横架材の支持梁に対して前記短尺足場板の係止金具を搭載するように構成している。
【００１０】
また、本発明が手段として構成する足場構築体におけるアジャスト横架材は、前記２本の偏位支持梁の間に離間空間を形成し、該離間空間に短尺足場板の係止金具を挿入することにより、該係止金具を偏位支持梁に搭載するように構成することが好ましい。
【００１１】
本発明の好ましい実施形態において、前記支柱は、前記標準横架材を連結固定するフランジを備えており、前記アジャスト横架材は、２本の偏位支持梁の両端部に固設された取付金具を前記フランジに連結固定するように構成すると共に、該取付金具に前記フランジに載置される位置決め手段を備え、前記位置決め手段をフランジに載置した状態で、前記偏位支持梁を前記標準横架材の支持梁と同一高さに固定するように構成している。
【発明の効果】
【００１２】
本発明によれば、Ｙ方向に等間隔の間隔Ｌ１をあけて支柱ユニット４を列設し、隣り合う支柱ユニット４、４の標準横架材３、３の支持梁２に標準足場板５を搭載した足場構築体において、選択された所定の列設位置Ｐで、前記支柱ユニット４に代えて、１対の支柱１、１をアジャスト横架材７で連結したアジャスト支柱ユニット８を構成するだけで、該アジャスト横架材７の偏位支持梁９、１０と、これに隣り合う支柱ユニット４における標準横架材３の支持梁２に対して、短尺足場板５ａの係止金具６ａ、６ａを搭載することが可能になり、標準足場板５と短尺足場板５ａを混在させた足場を構築できるという効果がある。
【図面の簡単な説明】
【００１３】
【図１】従来の足場構築体を示す斜視図である。
【図２】従来の足場構築体において標準足場板に代えて短尺足場板を搭載することができない理由を分解状態で示す斜視図である。
【図３】本発明の１実施形態を分解状態で示す斜視図である。
【図４】本発明の１実施形態に係るアジャスト横架材を示す斜視図である。
【図５】アジャスト横架材と支柱の相互関係を示しており、（Ａ）は斜視図、（Ｂ）は側断面図である。
【図６】アジャスト横架材に短尺足場板の係止金具を搭載する方法を示しており、（Ａ）は搭載中の状態を示す側断面図、（Ｂ）は搭載後の状態を示す側断面図である。
【図７】標準足場板と短尺足場板を混在状態で搭載した足場構築体を示す斜視図である。
【発明を実施するための形態】
【００１４】
以下図面に基づいて本発明の好ましい実施形態を詳述する。
【００１５】
足場構築体の基本的構成は、図１に基づいて説明した通りであり、Ｘ方向に離間して立設された１対の支柱１、１を１本の支持梁２を備えた標準横架材３で連結することにより構成された支柱ユニット４をＹ方向に等間隔の間隔Ｌ１をあけて列設し、隣り合う支柱ユニット４、４の支持梁２、２の相互間に所定ピッチ間隔Ｌ２を形成し、前記隣り合う支持梁２、２に対して標準足場板５を搭載している。
【００１６】
図示実施形態の場合、各支柱１は、楔孔を備えたフランジ１ａを上下方向に所定間隔をあけて固設しており、前記標準横架材３の両端に設けた二股状の金具を前記フランジ１ａに楔片を介して緊結する楔緊結手段が採用されている。
【００１７】
そこで、本発明は、図３に示すように、前記支柱ユニット４のＹ方向に等間隔Ｌ１で配置された列設位置に関して、所定の列設位置Ｐにおける１対の支柱１、１をアジャスト横架材７で連結することによりアジャスト支柱ユニット８構成し、該アジャスト支柱ユニット８と、その両側に隣り合う支柱ユニット４、４の間において、短尺足場板５ａの搭載を可能とするように構成している。
【００１８】
前記アジャスト横架材７は、Ｙ方向に２本の偏位支持梁９、１０を並設しており、該偏位支持梁９、１０のそれぞれの中心軸９ａ、１０ａと、これにＹ方向から隣り合う支柱ユニット４の支持梁２の中心軸２ａの相互間に、アジャスト間隔ＬＡを形成し、該アジャスト間隔ＬＡが前記短尺足場板５ａにおける係止金具６ａ、６ａの離間距離Ｌａと一致するように構成している。
【００１９】
図４及び図５に示すように、前記アジャスト横架材７は、偏位支持梁９、１０の両端部に取付金具１１を設けており、該取付金具１１は、金属板により背板部１２から上下舌片部１３、１４を折曲した側面視ほぼコ字形に形成され、並列された偏位支持梁９、１０の端部を前記背板部１２に固設し、上舌片部１３から下舌片部１４に挿通される楔片１５を設けると共に、上部舌片部１３に挿着したピンの下端部を下舌片部１４に向けて垂設することにより位置決め手段１６を形成している。
【００２０】
そこで、アジャスト支柱ユニット８を構成するため、アジャスト横架材７を支柱１に連結固定する際は、図５に示すように、前記取付金具１１の上下舌片部１３、１４をフランジ１ａの上下に臨ませると共に、位置決め手段１６をフランジ１ａの上面に載置し、楔片１５をフランジ１ａと下舌片部１４の楔孔に挿通させれば良く、これにより取付金具１１とフランジ１ａが楔緊結状態で固定される。この際、取付金具１１の上下方向位置が前記位置決め手段１６により固定され、この状態で、偏位支持梁９、１０の中心軸９ａ、１０ａが隣り合う支柱ユニット４、４の支持梁２の中心軸２ａと同一高さを保持する。
【００２１】
図５に示すように、取付金具１１を支柱１のフランジ１ａに連結固定したとき、支柱１の中心軸と交わる水平基準軸Ｘａに対して、偏位支持梁９、１０の中心軸９ａ、１０ａがそれぞれ等しい距離Ｌｘで離間し、並設された偏位支持梁９、１０の周面の相互間に離間空間Ｓ１を形成するように構成されている。図示実施形態の場合、偏位支持梁９、１０は、相互に断面を対称形とされた金属管により形成されており、標準横架材３の支持梁２と同じ外径を有する円管の断面形状を異形とした金属管により形成されている。図示実施形態の場合、円管の断面形状を中心に向けて変形させることにより、偏位支持梁９、１０の対向面に凹曲された溝部１７を形成し、対向する溝部１７、１７の間に前記離間空間Ｓ１を拡大させた離間空間Ｓ２を形成している。
【００２２】
前記水平基準軸Ｘａの両側に離間する偏位支持梁９、１０の中心軸９ａ、１０ａの距離Ｌｘは、アジャスト支柱ユニット８とこれに隣り合う支柱ユニット４の両ユニットにおける支柱１、１の間隔Ｌ１と、該間隔Ｌ１よりも短い短尺足場板５ａにおける係止金具６ａ、６ａの離間距離Ｌａの差に等しい、つまり、Ｌｘ＝Ｌ１−Ｌａとなるように構成されている。
【００２３】
従って、Ｙ方向に等間隔の間隔Ｌ１をあけて支柱ユニット４を列設し、隣り合う支柱ユニット４、４の標準横架材２、２に標準足場板５を搭載した足場構築体において、選択された所定の列設位置Ｐで、前記支柱ユニット４に代えて、１対の支柱１、１をアジャスト横架材７で連結したアジャスト支柱ユニット８を構成するだけで、該アジャスト横架材７の偏位支持梁９、１０と、これに隣り合う支柱ユニット４における標準横架材３の支持梁２に対して、短尺足場板５ａの係止金具６ａ、６ａを搭載することが可能となる。
【００２４】
短尺足場板５ａの係止金具６ａをアジャスト横架材７の偏位支持梁９、１０に搭載する際は、図６に示すように、係止金具６ａの施錠爪６ｃを開放した状態でフック先端部６ｂを前記離間空間Ｓに容易に挿入することができる。この際、図示実施形態のように、溝部１７を形成しておけば、挿入操業が更に容易となる。係止金具６ａにより偏位支持梁９、１０を抱持した後は、施錠爪６ｃを閉止すれば良い。
【００２５】
これにより、図７に示すように、アジャスト支柱ユニット８を構成するアジャスト横架材７の両側にそれぞれ短尺足場板５ａ、５ａが搭載され、標準足場板５と短尺足場板５ａを混在させた足場が構築される。
【００２６】
尚、図示の実施形態は、単管足場による足場構築体を例示しているが、本発明は、これに限定されるものではなく、枠組み足場に実施することも可能であり、その場合、支柱部分を連結する横桟部分に偏位支持梁９、１０を備えたアジャスト横架材７を設けた枠組み体を提供すれば良い。
【符号の説明】
【００２７】
１  支柱
１ａ  フランジ
２  支持梁
２ａ  支持梁の中心軸
３  標準横架材
４  支柱ユニット
５  標準足場板
５ａ  短尺足場板
６  標準足場板の係止金具
６ａ  短尺足場板の係止金具
６ｂ  フック先端部
６ｃ  施錠爪
７  アジャスト横架材
８  アジャスト支柱ユニット
９、１０  偏位支持梁
９ａ、１０ａ  偏位支持梁の中心軸
１１  取付金具
１２  背板部
１３  上舌片部
１４  下舌片部
１５  楔片
１６  位置決め手段
１７  溝部
【図１】
2018096099.tif 000003
【図２】
2018096099.tif 000004
【図３】
2018096099.tif 000005
【図４】
2018096099.tif 000006
【図５】
2018096099.tif 000007
【図６】
2018096099.tif 000008
【図７】
2018096099.tif 000009